(57)【特許請求の範囲】
【請求項１】
施錠可能な蓋付きのケースと、該ケース内に設置するメモリ素子用の複数のスロットと、前記ケースに収納するマイクロコンピュータ、高電圧発生回路とを備えてなり、前記マイクロコンピュータは、所定の認証コードを入力することなく施錠中の前記蓋が開かれると前記高電圧発生回路を作動させ、前記高電圧発生回路からの高電圧を前記各スロットに供給して前記スロット上の複数のメモリ素子を電気的に一挙に破壊することを特徴とするメモリ素子用の保管装置。
【請求項２】
前記マイクロコンピュータは、所定の認証コードを入力することなく前記蓋が施錠中の前記ケースが所定の設置面から浮上させられると、前記高電圧発生回路を作動させて前記スロット上のメモリ素子を電気的に破壊することを特徴とする請求項１記載のメモリ素子用の保管装置。
【請求項３】
前記スロットは、少なくともＵＳＢメモリ用、ＳＤカード用のいずれかを含むことを特徴とする請求項１または請求項２記載のメモリ素子用の保管装置。
【請求項４】
前記マイクロコンピュータは、前記蓋側のマイクロコンピュータと組み合わせることを特徴とする請求項１ないし請求項３のいずれか記載のメモリ素子用の保管装置。
【請求項５】
前記蓋側のマイクロコンピュータには、前記蓋の表面に搭載する認証コード入力用のテンキー、ディスプレイを接続することを特徴とする請求項４記載のメモリ素子用の保管装置。
【発明の詳細な説明】
【技術分野】
【０００１】
この発明は、保管中のＵＳＢメモリやＳＤカードなどの半導体メモリ素子の記憶データが不用意に部外者に漏洩してしまうことを阻止することができるメモリ素子用の保管装置に関する。
【背景技術】
【０００２】
保管中の磁気テープなどの磁気記録用品の記録データを安全に保護するための収納装置が提案されている（特許文献１）。
【０００３】
従来の収納装置は、施錠可能な扉付きの収納ケースに消磁器を組み込んで構成されており、収納ケース内に磁気記録用品を収納し、扉を閉じて施錠することにより、磁気記録用品を安全に保管することができる。なお、消磁器は、外部からの破壊活動などの異常時に作動させることにより、収納ケース内に消磁用の磁束を発生させ、保管中の磁気記録用品の記録データを磁気的に消去して記録データの漏洩を阻止することができる。
【先行技術文献】
【特許文献】
【０００４】
【特許文献１】特開平１１−１９３０８４号公報
【発明の概要】
【発明が解決しようとする課題】
【０００５】
かかる従来技術によるときは、消磁器からの磁束は、磁気記録用品の記録データを消去するのに有効であるとしても、たとえばＵＳＢメモリ、ＳＤカードなどの半導体メモリ素子の記憶データの消去には不適切であり、半導体メモリ素子に対して適用することができないという問題があった。
【０００６】
そこで、この発明の目的は、かかる従来技術の問題に鑑み、蓋付きのケースにメモリ素子用のスロットと高電圧発生回路とを組み込むことによって、半導体メモリ素子の記憶データが部外者に漏洩することを有効に阻止することができるメモリ素子用の保管装置を提供することにある。
【課題を解決するための手段】
【０００７】
かかる目的を達成するためのこの発明の構成は、施錠可能な蓋付きのケースと、ケース内に設置するメモリ素子用の複数のスロットと、ケースに収納するマイクロコンピュータ、高電圧発生回路とを備えてなり、マイクロコンピュータは、所定の認証コードを入力することなく施錠中の蓋が開かれると高電圧発生回路を作動させ、高電圧発生回路からの高電圧を各スロットに供給してスロット上の複数のメモリ素子を電気的に一挙に破壊することをその要旨とする。
【０００８】
なお、マイクロコンピュータは、所定の認証コードを入力することなく蓋が施錠中のケースが所定の設置面から浮上させられると、高電圧発生回路を作動させてスロット上のメモリ素子を電気的に破壊することができる。
【０００９】
また、スロットは、少なくともＵＳＢメモリ用、ＳＤカード用のいずれかを含んでもよい。
【００１０】
さらに、マイクロコンピュータは、蓋側のマイクロコンピュータと組み合わせてもよく、蓋側のマイクロコンピュータには、蓋の表面に搭載する認証コード入力用のテンキー、ディスプレイを接続してもよい。
【発明の効果】
【００１１】
かかる発明の構成によるときは、ケース内のスロットには、メモリ素子を着脱自在に装着することができ、スロット上のメモリ素子は、ケースの蓋を閉じて施錠することにより、安全に保管することができる。一方、マイクロコンピュータは、所定の認証コードを入力することなく施錠中の蓋が開かれると、何らかの不正な攻撃が行われたと判断して高電圧発生回路を作動させ、高電圧発生回路からの高電圧をスロット上のメモリ素子に印加することにより、メモリ素子を電気的に破壊してメモリ素子内の記憶データの漏洩を有効に阻止することができる。なお、ここでいうメモリ素子とは、ＵＳＢメモリ、ＳＤカードの一方または双方を含む半導体メモリ素子をいい、所定の認証コードとは、たとえば任意の数字を組み合わせる暗証番号や、任意の文字、数字、記号等を組み合わせるパスワードなどをいう。
【００１２】
マイクロコンピュータは、所定の認証コードを入力することなく蓋が施錠中のケースが浮上させられたときも、たとえば内部のメモリ素子がケースごと持ち去られるなどの不正な攻撃であると判断し、高電圧発生回路からの高電圧によりスロット上のメモリ素子を電気的に破壊して記憶データの漏洩を阻止することができる。
【００１３】
ケース内に設置するスロットは、少なくともＵＳＢメモリ用、ＳＤカード用のいずれかを含むことにより、最も一般的に使用されているこれらのメモリ素子に対応することができる。なお、ＵＳＢメモリ用、ＳＤカード用のスロットは、それぞれ１個以上任意の数のメモリ素子分を用意してよいものとする。
【００１４】
マイクロコンピュータは、蓋側のマイクロコンピュータと組み合わせることにより、蓋側、ケース側を連結するための信号線数を少なくして全体構成をシンプルにすることができる。ただし、各マイクロコンピュータは、それぞれ電池などによる個別の電源から給電するものとする。
【００１５】
蓋側のマイクロコンピュータには、蓋の表面に搭載するテンキー、ディスプレイなどを接続することにより、ケース側のマイクロコンピュータとのインタフェイスを最も簡単にすることができる。
【図面の簡単な説明】
【００１６】
【図１】全体ブロック系統図
【図２】全体構成斜視図（１）
【図３】全体構成斜視図（２）
【図４】全体構成断面図（１）
【図５】全体構成断面図（２）
【図６】動作説明図（１）
【図７】動作説明図（２）
【図８】プログラムフローチャート
【図９】他の実施の形態を示す要部プログラムフローチャート
【図１０】他の実施の形態を示す要部説明図
【発明を実施するための形態】
【００１７】
以下、図面を以って発明の実施の形態を説明する。
【００１８】
メモリ素子用の保管装置は、施錠可能な蓋１２付きのケース１１と、ケース１１に収納するマイクロコンピュータ２１、高電圧発生回路２２とを備えてなる（図１、図２）。
【００１９】
ケース１１は、固定の設置台１３上に着脱自在に設置することができる。また、マイクロコンピュータ２１には、蓋１２側のマイクロコンピュータ２３が組み合わされており、ケース１１内には、ＵＳＢメモリＭ1 用のスロットＳ1 、Ｓ1 …、ＳＤカードＭ2 用のスロットＳ2 、Ｓ2 …が設置されている（図３、図４）。
【００２０】
スロットＳ1 、Ｓ1 …、Ｓ2 、Ｓ2 …は、ケース１１内の水平の仕切板１１ａ上に固定されている。仕切板１１ａの下には、プリント基板１１ｂが組み込まれており、ケース１１の前端側、プリント基板１１ｂの下側には、それぞれ上向き、下向きのリミットスイッチＬＳ1 、ＬＳ2 が組み込まれている。ただし、リミットスイッチＬＳ1 は、蓋１２の前端側のドグ１４ａに対応して蓋１２の開きを検出することができ、リミットスイッチＬＳ2 は、設置台１３上のドグ１３ａに対応して、設置台１３の表面からケース１１が分離して浮上したことを検出することができる。
【００２１】
蓋１２は、ヒンジ１２ａを介し、ケース１１の後端に開閉自在に付設されている。蓋１２の前端側には、横長の棒状のガード材１４を介して、リミットスイッチＬＳ1 用のドグ１４ａ、蓋１２の施錠用の孔１４ｃ付きのラッチ受け１４ｂが設けられている。なお、ケース１１の前端部には、ソレノイド１５が組み込まれており（図５）、ソレノイド１５のプランジャ１５ａは、全閉状態の蓋１２のラッチ受け１４ｂの孔１４ｃに対向している。そこで、ソレノイド１５を駆動してプランジャ１５ａを前進させると、プランジャ１５ａが孔１４ｃに進入して蓋１２を開放不能に施錠することができる。
【００２２】
ケース１１には、マイクロコンピュータ２１、高電圧発生回路２２用の電源として、蓋付きの電池スペース１６内に電池Ｂ、Ｂ…が収納されている（図３、図５）。ただし、図１において、電池Ｂ、Ｂ…は、便宜的に単一の電池Ｂとして図示されている。
【００２３】
蓋１２の表面には、マイクロコンピュータ２３用の図示しない電池を収納する蓋付きの電池スペース１７が形成されている（図２）。また、蓋１２の表面には、認証コード入力用のキーＫ、Ｋ…の他、液晶形のディスプレイ２４が搭載されている。なお、キーＫ、Ｋ…は、テンキー２３ａとしてマイクロコンピュータ２３に接続されており（図１）、ディスプレイ２４は、マイクロコンピュータ２３を介し、テンキー２３ａにより入力される認証コードを１桁ごとに表示することができる。
【００２４】
マイクロコンピュータ２１、２３は、コネクタ２５ａを有するデータバス２５を介して双方向に接続されている。また、ケース１１側のマイクロコンピュータ２１には、ＥＰＲＯＭ２６の他、ソレノイド１５、リミットスイッチＬＳ1 、ＬＳ2 が接続されている。なお、ソレノイド１５には、プランジャ１５ａの前進、後退による蓋１２の施錠状態、開錠状態を示すリミットスイッチＬＳ3 が付属しており、リミットスイッチＬＳ3 もマイクロコンピュータ２１に接続されている。電池Ｂは、商用電源ＡＣに接続される電源回路２７を介してバックアップされており、高電圧発生回路２２は、マイクロコンピュータ２１によって駆動するリレー接点２１ａを介し、電池Ｂから給電されている。高電圧発生回路２２の出力は、ＵＳＢメモリＭ1 用、ＳＤカードＭ2 用のスロットＳ1 、Ｓ1 …、Ｓ2 、Ｓ2 …に分岐接続されている。
【００２５】
マイクロコンピュータ２１は、ソレノイド１５のプランジャ１５ａを後退させてラッチ受け１４ｂの孔１４ｃから抜去することにより（図６）、全閉されて施錠状態の蓋１２を開放可能に開錠することができる。また、ソレノイド１５に付属のリミットスイッチＬＳ3 は、蓋１２の施錠状態、開錠状態を検出することができる。
【００２６】
一方、全閉状態の蓋１２が僅かでも開くと（図７）、リミットスイッチＬＳ1 によって検出することができ、ケース１１が所定の設置台１３の表面から浮上させられると、リミットスイッチＬＳ2 によって検出することができる。なお、蓋１２の前端側のガード材１４は、蓋１２とケース１１との間の隙間ｄを介してケース１１内に不正にアクセスすることを防止することができる。また、リミットスイッチＬＳ2 によりケース１１の浮上を検出するために、ケース１１の底面には、設置台１３上のドグ１３ａをリミットスイッチＬＳ2 に対向させる透孔１１ｃが開口されている。
【００２７】
ケース１１内の各スロットＳ1 、Ｓ2 にそれぞれＵＳＢメモリＭ1 、ＳＤカードＭ2 を装着して蓋１２を閉じ、ソレノイド１５を駆動して蓋１２を施錠すれば、内部のＵＳＢメモリＭ1 、ＳＤカードＭ2 を安全に保管することができる。なお、このとき、ケース１１は、所定の設置台１３上にセットするものとする。ただし、ケース１１内に保管するＵＳＢメモリＭ1 、ＳＤカードＭ2 の数は、それぞれ図示に拘らず任意である。
【００２８】
一方、蓋１２上のテンキー２３ａのキーＫ、Ｋ…を操作して認証コードを入力すると、蓋１２側のマイクロコンピュータ２３は、入力された認証コードをディスプレイ２４に表示するとともに、データバス２５を介してケース１１側のマイクロコンピュータ２１に転送する。そこで、マイクロコンピュータ２１は、蓋１２が施錠されておらず、開錠状態であるときは、マイクロコンピュータ２３からの認証コードをＥＰＲＯＭ２６に記憶させて登録するとともに、マイクロコンピュータ２３に登録済の情報を送出し、マイクロコンピュータ２３は、ディスプレイ２４上の認証コードを消去する。その後、マイクロコンピュータ２１は、たとえば図８のプログラムフローチャートに従って作動する。
【００２９】
プログラムは、まず、蓋１２が開錠状態であることを確認すると（図８のプログラムステップ（１）、以下、単に（１）のように記す）、リミットスイッチＬＳ1 により蓋１２が開いているか否かをチェックし（２）、蓋１２が開いているときは、それが閉じられるのを待つ（（２）、（１）、（２））。その後、蓋１２が閉じられると（２）、たとえば約３秒間程度の所定の待ち時間の後に（３）、ソレノイド１５を駆動することにより蓋１２を施錠する（４）。なお、所定の待ち時間の間も、プログラムステップ（１）、（２）のチェックを継続する（（３）、（１）、（２）、（３））。また、プログラムステップ（４）の施錠動作により蓋１２が開錠状態から施錠状態になると（１）、プログラムは、その後、プログラムステップ（５）以降のチェックを繰り返し実行する（（１）、（５）…（７）、（１））。そこで、このとき、ケース１１内のＵＳＢメモリＭ1 、ＳＤカードＭ2 を安全に保管することができる。
【００３０】
一方、ＵＳＢメモリＭ1 、ＳＤカードＭ2 の保管中にテンキー２３ａを介して認証コードが入力され、マイクロコンピュータ２３からマイクロコンピュータ２１に転送されると、プログラムは、それを検知し（７）、入力された認証コードをＥＰＲＯＭ２６内に登録されている認証コードと対比して、入力された認証コードが所定の正規のものであることを確認する（８）。入力された認証コードが正規のものであれば（８）、プログラムは、ソレノイド１５を駆動して蓋１２を開錠するから（９）、その後、蓋１２を開放することにより、ケース１１内の所要のＵＳＢメモリＭ1 、ＳＤカードＭ2 を取り出すことができる。なお、入力された認証コードが正規のものでないときは（８）、そのまま元のプログラムステップ（１）、（５）〜（７）、（１）のチェックルーチンに戻る。また、蓋１２を開錠操作したときは（９）、プログラムステップ（１）、（２）、（１）のチェックルーチンに移行する。
【００３１】
次に、プログラムステップ（１）、（５）〜（７）、（１）のチェックルーチンの実行中に、所定の認証コードを入力することなく蓋１２が開けられたり（５）、ケース１１がたとえば設置台１３の表面相当の所定の設置面から浮上させられたりすると（６）、プログラムは、プログラムステップ（１０）を実行する。すなわち、マイクロコンピュータ２１は、リレー接点２１a を閉じて電池Ｂにより高電圧発生回路２２を作動させ、高電圧発生回路２２からの高電圧をスロットＳ1 、Ｓ1 …、Ｓ2 、Ｓ2…に供給して各スロットＳ1 、Ｓ2 上のＵＳＢメモリＭ1 、ＳＤカードＭ2 を電気的に破壊することができる。なお、プログラムステップ（５）、（６）の判定は、それぞれリミットスイッチＬＳ1 、ＬＳ2 の作動状態による。
【他の実施の形態】
【００３２】
図８のプログラムステップ（６）において、所定の認証コードを入力することなく、蓋１２が施錠中にケース１１が設置台１３の表面から浮上させられると、ケース１１内のＵＳＢメモリＭ1 、ＳＤカードＭ2 を直ちに電気的に破壊するに代えて、たとえば約６秒間程度の所定時間の経過を待って破壊処理を実行することができる（図９のプログラムステップ（６）、（１１）、（１４）、（１５）、（１０）、以下、単に（６）などのように記す）。ただし、図９のプログラムステップ（５）、（６）、（１０）は、それぞれ図８のプログラムステップ（５）、（６）、（１０）に対応している。
【００３３】
なお、ケース１１の浮上から所定時間の経過までの間に（（６）、（１１）、（１４）、（１５）、（６））、正規の認証コードが入力されたときは（（１１）、（１２））、ソレノイド１５を駆動して蓋１２を開錠し（１３）、以後、図８のプログラムステップ（１）、（２）、（１）の正規のチェックルーチンに戻ればよい。また、所定時間の経過までの間に蓋１２が開けられたときは（１４）、直ちにＵＳＢメモリＭ1 、ＳＤカードＭ2 の破壊処理を実行する（１０）。ただし、ケース１１の浮上から所定時間内にケース１１の浮上が修復されたときは（（１５）、（６））、そのまま図８のプログラムステップ（７）以降のチェックルーチンに復帰させる。このようにしてケース１１の短時間の浮上を許容すれば、たとえば設置台１３上のケース１１を一時的に移動させるなどの正常な作業に支障を生じるおそれがない。
【００３４】
マイクロコンピュータ２１には、電池Ｂのチェック用として、リレー接点２１ｂ、抵抗Ｒを準備してもよい（図１０（Ａ））。リレー接点２１ｂは、マイクロコンピュータ２１により駆動するものとし、電池Ｂの電圧Ｖb は、マイクロコンピュータ２１に読み込まれている。そこで、リレー接点２１ｂを一時的に投入して抵抗Ｒに所定のダミー負荷電流を通電するとともに、そのときの電圧Ｖb をチェックして電池Ｂの良否を判定し、たとえばディスプレイ２４上に必要なメッセージを表示することができる（図１０（Ｂ）のプログラムステップ（２０）、（２１））。ただし、図１０（Ａ）、（Ｂ）は、それぞれ要部ブロック系統図、要部プログラムフローチャートであり、図１０（Ｂ）のプログラムステップ（７）は、図８のプログラムステップ（７）に対応している。
【００３５】
以上の説明において、蓋１２側のマイクロコンピュータ２３は、ケース１１側のマイクロコンピュータ２１に統合してもよい。また、ＵＳＢメモリＭ1 用、ＳＤカードＭ2 用のスロットＳ1 、Ｓ1 …、Ｓ2 、Ｓ2 …は、少なくともいずれかを含む任意の素子数分を用意すればよく、さらに、他の任意の半導体メモリ素子用のスロットを含んでいてもよい。また、ケース１１内の各スロットＳ1 、Ｓ2 に装着して保管するメモリ素子の総数も、任意に設定可能である。
【産業上の利用可能性】
【００３６】
この発明は、半導体メモリ素子を保管するとともに、記憶データの漏洩を阻止して高度のセキュリティを実現する用途に対し、広く好適に適用することができる。
【符号の説明】
【００３７】
Ｍ1 …ＵＳＢメモリ
Ｍ2 …ＳＤカード
Ｓ1 、Ｓ2 …スロット
１１…ケース
１２…蓋
１３…設置台
２１…マイクロコンピュータ
２２…高電圧発生回路
２３…マイクロコンピュータ
２３ａ…テンキー
２４…ディスプレイ
特許出願人      株式会社  リニア・サーキット
【図１】
0006475547.tif 000002
【図２】
0006475547.tif 000003
【図３】
0006475547.tif 000004
【図４】
0006475547.tif 000005
【図５】
0006475547.tif 000006
【図６】
0006475547.tif 000007
【図７】
0006475547.tif 000008
【図８】
0006475547.tif 000009
【図９】
0006475547.tif 000010
【図１０】
0006475547.tif 000011